(57)【特許請求の範囲】
【請求項１】
ベースに付けられた紙シートを電気的に検知するノートパッドにおいて、
ベースと、
前記ベースが有する一組の電気接点と、
それぞれが有限の伝導率を有する導電性条痕を有した複数の紙シートと、
異なる前記紙シートの前記導電性条痕が前記電気接点と平行に接触するように前記導電性条痕を配列して前記紙シートを前記ベースに保持する手段と、
前記接点を通して導電率を測定し、測定した伝導率に従い前記ベースに付いている前記紙シートの枚数を示す信号を提供するように機能する、前記接点と電気的に接触する電気導電率測定装置と、
を備えることを特徴とするノートパッド。
【請求項２】
前記紙シートを互いに接着する接着材料をさらに備えることを特徴とする請求項1に記載のノートパッド。
【請求項３】
前記導電性条痕は前記紙シートを互いに接着する導電性接着材料を備えることを特徴とする請求項1に記載のノートパッド。
【請求項４】
前記導電性条痕は導電性インクを備えることを特徴とする請求項1に記載のノートパッド。
【請求項５】
前記保持する手段は、前記ベースに前記紙シートを留めるため、前記ベースに取り付けられたクランプを備えることを特徴とする請求項1に記載のノートパッド。
【請求項６】
ベースに付けられた紙シートを電気的に検知するノートパッドにおいて、
ベースと、
前記ベースが有する一組の電気接点と、
それぞれが有限の伝導率を有する導電性条痕を有した複数の紙シートと、
異なる前記紙シートの前記導電性条痕が前記電気接点と平行に接触するように前記導電性条痕を配列して前記紙シートを前記ベースに保持する手段と、
前記接点を通して導電率を測定し、測定した伝導率に従い前記ベースに付いている前記紙シートの枚数を示す信号を提供するように機能する、前記接点と電気的に接触する電気導電率測定装置と、を備え、
1枚の紙シートが有する前記導電性条痕は、他の紙シートが有する前記導電性条痕とは異なる伝導率を持つ、
ことを特徴とするノートパッド。
【請求項７】
前記紙シートを互いに接着する接着材料をさらに備えることを特徴とする請求項６に記載のノートパッド。
【請求項８】
前記導電性条痕は前記紙シートを互いに接着する導電性接着材料を備えることを特徴とする請求項６に記載のノートパッド。
【請求項９】
前記導電性条痕は導電性インクを備えることを特徴とする請求項６に記載のノートパッド。
【請求項１０】
前記保持する手段は、前記ベースに前記紙シートを留めるため、前記ベースに取り付けられたクランプを備えることを特徴とする請求項６に記載のノートパッド。
【発明の詳細な説明】
【０００１】
【発明の属する技術分野】
本発明はページを電子的に識別する装置に関する。
【０００２】
【従来の技術】
紙片を識別する種々の装置が使用されている。最も簡単な方法は、紙の上に識別子を付けることである。この識別子は、在庫品目録形式のような、該当する書類に対する呼称であってもよい。紙のスタックがある場合には、各々に独特の番号を付けてそれらを識別することができる。これは容易に行うことができる。しかし、それを手操作で行うことができず、それらを電子的に識別しなければならないかまたは識別したい場合には、その方法は一層複雑になる。
【０００３】
一つの対応方法は、各紙片を走査し、各紙片上に識別子が、通常、パターン認識アルゴリズムにより電子的に記憶され、翻訳されるものである。他の方法は、各紙片上に異なるバーコードを付けることである。バーコードは読み込まれて各紙片を次のものと区別する。二つの方法とも識別子を走査するかまたは読み込むという別の方法が必要である。その上、二つの方法とも或る形式の走査機構を備えるという別の費用が必要になる。
【０００４】
【発明が解決しようとする課題】
スキャナを所持していないが、ディジタル盤を所持していれば、ディジタル盤上に載置されている紙片に書き込むことができる。書込はディジタル化され、記憶される。この状況において、各紙片を紙の上に識別子を書き込むことにより識別することができる。識別子はディジタイザにより捕らえられ、他の手書き情報と共に記憶される。この方法はユーザが、紙の各シートに情報を書き込む前に識別子を付けることを忘れなければ良好に作用する。しかし、ユーザが盤上に載置されている紙片に書き込みがなされた状態で、別の紙片を取り込み、別の識別子を書き込むことを忘れてしまうと、二つの紙片の中にある情報が混合される欠点があった。
【０００５】
本発明は、前述した従来技術の問題点を解消し、一方の紙片を他の紙片と自動的におよび電子的に識別する装置を提供することを目的とするものである。
【０００６】
【課題を解決するための手段】
本発明のかかる目的は、第１の絶縁固体表面、および第１の絶縁固体表面上にある表面導電性条痕、から成り、導電性条痕の導電率が第１の絶縁固体表面の識別を行うようにしたことを特徴とするページの識別装置によって達成される。
【０００７】
本発明は、紙の各シートをそれらのスタックから電子的に識別する装置を提供する。従来の方法は或る種の走査機構を必要とするか、またはユーザが識別子を各シート上に付けることを覚えている必要がある。本発明はどんな走査機構も必要ではなく、ユーザが各シートを識別する如何なる付加的処理を行なうことも覚えている必要がない。識別処理は非常に廉価で自動的な仕方で行われる。この方法は、ユーザが紙のスタックを使用しているとき、その通常動作にユーザの操作を融合されるので自動化されることになる。
【０００８】
好ましい実施例では、各シートはその両端縁の一方に近傍に表面導電性条痕を備えている。条痕は導電性インクを使用して印刷された線で良い。紙のスタック全体は、多数の普通のノートパッドのように、厚紙の上に載置している最下部のシートとともに、その縁に沿って一緒に糊付けされている。縁はすべての導電条痕に近接し、厚紙の下にある導電性パッチに表面導電性条痕を連結している端縁導電性条痕とともに、全ての導電性条痕に対し紙シート縁が近接している。
【０００９】
紙の各シートはこのような表面導電性条痕を備えている。各条痕は二つ以上の対応する厚紙導電性パッチで終わっている二つ以上の端縁導電性条痕に接続されている。したがって、厚紙の下にはパッドの特定の縁に近い一列の導電性パッチがある。
【００１０】
パッドは同様の列のコネクタ導電性パッチを備えているクリップボード上にク締着され、各コネクタ導電性パッチは厚紙上の対応するパッチに接触している。コネクタ導電性パッチを介して、クリップボードにある電子装置は各条痕の導電率を頻繁にチェックする。
【００１１】
ユーザはスタック上の紙片に書き込みを行い、その紙片への書込を終了してから、ユーザはそれをスタックから引き裂く。これはそのシートの導電性条痕を破壊することになり、その導電率の変化により取り除かれたシートの識別が自動的に行われる。
【００１２】
したがって、上述した好ましい実施例では、紙の各シートは自動的に識別される。この識別処理はユーザに対し平易なものであり、ユーザが紙片を取り除くと、その対象紙シートが自動的に登録される。
【００１３】
【発明の実施の形態】
本発明のページの識別装置の実施態様について、添付した図面に基づき以下に詳述する。
図１乃至図７において同じ数字は、全ての図で同じの要素に適用してある。
図１は、紙シート105 の表面104 の上に表面導電性条痕102 を有する本発明の好ましい実施例100 を示す。それぞれ短い導電条痕112,114 を介して紙シートの縁106 まで伸張する各末端部108,110 のような、短い導電性条痕を介して紙シートの縁106 まで伸張しているその末端部の夫々とともに、表面導電性条痕102 が紙シートの縁106 に近接いている。紙がパーフォレーョン116 に沿って引き裂かれると、表面導電性条痕102 の少なくとも一部が取り除かれて、短い導電性条痕112 と114 との間の電気的連続性を破壊または変化するように、表面導電性条痕102 が紙のパーフォレーョン116 を超えて伸張することが好ましい。
【００１４】
好ましい実施例において、短い条痕112,114 を有する表面導電性条痕102 は導電性インクで作られている。導電性インクの一例として、マサチューセッツ州のCabot 社製カーボンブラック( 商品名:Vulcan XC-72)を0.5 〜5 重量％含有する顔料インクがある。カーボンブラックは顔料インクの導電率を大きくする。条痕は紙を作るとき、丁度ページ番号を紙105 に印刷するように、紙105 の表面104 上に印刷される。
【００１５】
図２は、ノートパッドにおけるようにラップアラウンド208 により綴じられ、厚紙206 の上に載置された202,204 のような紙のスタックを有する本発明の好ましい実施例200 を示す。紙の各シートは前面および裏面の二つの表面を有し、各紙片の前面には、図１に示すものと同様の表面導電性条痕がある。各紙片の裏面はスタックを形成している他の紙片の前面に隣接している。
【００１６】
厚紙206 の下面210 に、212 のような、多数の厚紙導電性パッチがある。パッチは必ずしもすべてがラップアラウンド208 で覆われているのではなく、少なくとも部分的に、完全ではないにしても露出している。それらは上述のものと同様にインクを印刷することにより作ることができる。各パッチは、パッチ212 が端縁条痕214 に接続されるように、端縁導電性条痕に接続される。端縁条痕の一部は、ラップアラウンド208 により覆われて保護されることが好ましい。各端縁条痕は、少なくとも一つの導電性条痕に接続され得る。
【００１７】
端縁条痕を有する厚紙206 上の各パッチは、標準化される。そのような構成では、導電性条痕に必要なものよりも多くの端縁条痕が存在し、それら端縁条痕の幾つかはどんな導電性条痕にも接続されないことがある。
【００１８】
図３は、パッチ212,216 が導電性条痕102 に接続されるように、多数のパッチを多数の導電性条痕に接続する接続配列を示す。102 のような各表面導電性条痕は、少なくとも二つのパッチに接続されている。各導電性条痕の導電率は、パッチから導電率測定を通して独特に識別される。図３に示す配列は、導電性条痕をパッチに接続する最適な符号化配列例である。各導電性条痕の導電率が独特に識別されるかぎり、他の符号化配列も使用することができる。
【００１９】
図４は、表面導電性条痕、端縁導電性条痕、および厚紙導電パッチ間の良好な電気接続を確保する好ましい一実施例を示している。各紙シート上にある導電条痕は、図１に示すように短い各条痕により一方の縁に結合されている。その縁はラップアラウンド及び端縁導電性条痕の端縁でもある。図４に示す実施例では、端縁導電性条痕が、導電性セメントで作られている。このタイプの接着材料の導電率は、カーボンブラックまたは他の同様の低コスト導電剤を非導電性セメントに混合、使用して調節することができる。一例として、固体比率が10乃至30％のVulcan XC-72カーボンブラックを含有するラバーセメントがある。端縁導電性条痕を作る一つの方法は、導電性セメントの細長片を端縁に沿って塗設することである。
【００２０】
その細長片は、スタックをラップアラウンド208 によりしっかり綴じる前に塗設する。これにより導電セメントが、シート254 と105 との間の侵入物252 のような、紙の個々のシートの間に侵入することを許容する。この侵入物252 は、それがシート105 の上にある短い導電性条痕112 に接続されるように、短い導電性条痕の少なくとも一部を覆って表面導電性条痕との接続を行う。
導電性セメントの粘性を調節してスタックの各シート上の条痕を覆う量を制御することができる。導電性セメントを塗設して後、厚紙を有するスタックがラップアラウンド208 により圧縮され、共に綴じられる。この最終の綴じ込み中に、導電性セメントは各シートの間に捕捉され、各シート上の短い導電性条痕を重畳させる。これにより表面導電性条痕と厚紙導電性パッチとの間の接続が確保される。好ましい実施例の一例として、厚紙を有するスタックが共に圧縮され、非導電性セメントがスタック用ラップアラウンドとして塗着されるものがある。
【００２１】
図５は本発明による２枚の紙シートに用いる別の符号化配列を示す。紙から成るスタックに関しては、下方の紙シートを使用する前に、通常、上方の紙シートを使用する。そのようにすれば、スタックの各紙シートは特定の順序で参入することになる。図５に示す実施例の場合、２枚の紙シート上の表面導電性条痕は、パッチ300 および302 のように、同じ二つの厚紙導電性パッチを共有している。スタックにおける紙の両シートに関して、二つのパッチ300 および302 で測定される導電率は二つの条痕304 および306 の並列導電率である。一例として、条痕304 は上方紙シートの上にあり条痕306 は下方の紙シートの上にあり、二つの条痕は等価な導電率である。上方の紙シートの使用を終わったら、それをスタックから取り除く。条痕304 は破壊され、パッチ300 と302 との間の導電率測定値はほぼ半分になる。これにより取り除いた紙シートの識別が行われる。
【００２２】
別の好ましい実施例では、二つの条痕304 および306 が、異なった導電率を有して異なった幅から成っている。その上、二つの条痕304 と306 との間の導電率は、シートが取り除かれているか否かによって、異なった量まで変化する。
【００２３】
さらに別の好ましい実施例では、各シートがスタックから取り除かれると、多数の条痕が破壊されるものである。この意図的な余剰の条痕破壊は、スタックから取り除かれたシートを識別する信頼性を増すことができる。
【００２４】
図６は本発明用の電子盤400 を示す。電子盤は、402 および404 のような、多数のコネクタ導電性パッチを有している。各パッチは厚紙導電性パッチと実質上同様の大きさで且つ位置決めがなされているので、スタック200 を押さえているクリップ406 と共に電子盤400 上にスタック200 が載置すると、各厚紙パッチがコネクタパッチと接触する。位置合わせを強化するため、408 および410 のようなノッチが電子盤上に設けるか、または、コネクタパッチの大きさを、厚紙パッチの大きさより十分大きくすることが可能である。
【００２５】
電子盤400 には電子装置が埋め込まれていて、各コネクタパッチ間の導電率測定を行なう。測定に基づき、表面導電性条痕の各導電率が常時監視される。
【００２６】
電子盤は、何度でも繰り返して使用することができる。コネクタパッチを腐食から保護する一つの方法は、各コネクタパッチを、金のような、耐蝕性導電材料で被覆することである。別の好ましい実施例では、コネクタパッチは、ドームのような形状をしていて厚紙パッチとの接続を強化している。ドーム形パッチを用いれば、厚紙パッチがコネクタパッチと接触するとき、拭き取り作用ももたらしている。
【００２７】
図７は、454 および456 のような、１個の導電性条痕452 に多数の導電性パッチを接続する別の好ましい実施例450 を示す。この実施例では、パッチおよび条痕の配置は紙シートの識別として役立つ。シートを電子盤400 の上に置くことにより、電子盤内の電子装置は紙シートを自動的に識別する。また、条痕およびパッチを上述のように紙の上に導電性インクを印刷することにより作ることができる。
【００２８】
別の好ましい実施例では、厚紙導電性パッチは、端縁導電性条痕を有している対応する縁にあまり近付けて設置しないことにより一層良く保護することができる。
【００２９】
本発明の開示内容は紙シートに重点を置いてなされたが、しかし、その素材が固体絶縁表面を有していれば、本発明は他の素材を使用することができる。また、導電性条痕およびパッチは例えば、コネクタパッチが金めっきしたアルミニウムパッチであったり、あるいは端縁導電性条痕が導電性ポリマーまたはワイヤであるような他の材料から作ることができる。
【００３０】
この開示において、その対応する短い導電性条痕を有する表面導電性条痕は形状が長方形である。別の好ましい実施例では、各条痕は曲線である。また、各短い条痕は各表面導電性条痕の両端に設置される必要がない。別の好ましい実施例では、各短い条痕が１個の表面導電性条痕に沿って設置されるが、その両端にではない。
【００３１】
本発明は説明した装置の数に限定されない。本発明はまた装置を作る方法も含む。記述に基づき、ページを識別する機能を行う方法を抽出することができる。たとえば、その方法は、第１の絶縁固体表面上に表面導電性条痕を形成し、条痕の導電率を測定して表面の識別を行うことを含んでいる。
好ましい実施例では、測定する方法は更に、パッチの二つが導電性条痕上の二つの位置に結合している状態で、固体表面上に少なくとも二つの導電性パッチを形成し、多数のコネクタ導電性パッチを電子盤上に形成することを含み、固体表面が盤に接触すると、二つのコネクタパッチが導電性条痕上の二つのパッチと接触し、電子盤は、コネクタパッチを介して、導電性条痕の導電率測定を行い、固体表面を識別するようにしている。
別の好ましい実施例では、測定する方法は更に、絶縁固体表面を二つの対向表面を有する絶縁盤の表面に設置し、多数の厚紙導電性パッチを、二つの厚紙パッチが導電性条痕上の二つの位置に結合している状態で、絶縁固体表面に面する表面とは反対の盤の表面上に形成し、多数のコネクタ導電性パッチを電子盤上に形成することを含み、絶縁盤が電子盤に接触すると、二つのコネクタパッチが導電条痕に結合している二つの盤パッチと接触し、電子盤は、コネクタパッチを介して導電性条痕の導電率測定を行い、固体表面を識別するようになっている。
【００３２】
本発明の他の実施例は、ここに開示した本発明のこの明細書または実施を考慮することにより当業者には明らかであろう。明細書および諸例は単なる例示として考慮されるべきであり、本発明の真の範囲および精神は特許請求の範囲により示されているものである。
なお、本発明によるページの識別装置の実施態様を列挙すると、概ね以下の通りである。
【００３３】
1)  第１の絶縁固体表面、および第１の絶縁固体表面上にある表面導電性条痕、から成り、導電性条痕の導電率が第１の絶縁固体表面の識別を行うようにしたことを特徴とするページの識別装置。
【００３４】
2)  上記1)の装置であって、固体表面上にあり、パッチの二つが導電性条痕上の二つの位置に結合している、少なくとも二つの導電性パッチ、電子盤、および電子盤上にある多数のコネクタ導電性パッチを備え、固体表面が盤に接触しているとき、二つのコネクタパッチが導電性条痕上の二つのパッチと接触し、電子盤は、コネクタパッチを介して、導電性条痕の導電率測定を行い、固体表面を識別するようにしたページの識別装置。
【００３５】
3)  上記2)の装置であって、固体表面を電子盤にクリップしてコネクタパッチと固体表面上のパッチとの間の電気接続を増強する電子盤上のクリップ、を備えているページの識別装置。
【００３６】
4)  上記2)の装置であって、各コネクタ導電性パッチは耐蝕性導電材料で被覆され、パッチの腐食を防止しているページの識別装置。
【００３７】
5)  上記1)の装置であって、更に、二つの対向表面がある絶縁盤であって、絶縁固体表面は絶縁盤の表面の一つに密接している絶縁盤、絶縁固体表面に面する表面とは反対の盤の表面上にあり、二つの厚紙パッチが導電性条痕上の二つの位置に結合している状態の、多数の厚紙導電性パッチ、多数のコネクタ導電性パッチがその上にある電子盤を備え、絶縁盤が電子盤に接触しているとき、二つのコネクタパッチが、導電性条痕に結合している二つの盤パッチに接触し、電子盤は、コネクタパッチを介して、導電性条痕の導電率測定を行い、固体表面を識別するようにしたページの識別装置。
【００３８】
6)  上記5)の装置であって、更に、各々が一つの盤パッチを表面導電性条痕に結合している二つの縁導電性条痕を備えているページの識別装置。
【００３９】
7)  上記5)の装置であって、更に、裏面を有する第２の絶縁固体表面、および第２の絶縁固体表面上にある第２の導電性条痕を備え、第２の絶縁固体表面の裏面は第１の絶縁固体表面に密接し、二つの厚紙パッチは第２の絶縁表面の表面導電性条痕上の二つの位置に結合し、絶縁盤が電子盤と接触しているとき、コネクタパッチは厚紙パッチと接触し、電子盤は、コネクタパッチを介して、導電性条痕の導電率測定を行い、固体表面を識別するようにしたページの識別装置。
【００４０】
8)  上記5)の装置であって、更に、各々が裏面を有する複数の絶縁固体表面、および各表面上にある表面導電性条痕を備え、各絶縁固体表面の裏面は他のものの固体表面に密接し、各表面導電性条痕は二つの厚紙パッチに結合し、各条痕に対する二つのパッチは条痕上の二つの位置に結合し、絶縁盤が電子盤と接触しているとき、コネクタパッチは厚紙パッチと接触し、電子盤は、コネクタパッチを介して、導電性条痕の導電率測定を行い、固体表面を識別するようにしたページの識別装置。
【００４１】
9)  上記8)の装置であって、更に、絶縁固体表面をすべての表面導電条痕に近接している縁に沿って接着する接着剤を備えているページの識別装置。
【００４２】
10) 上記5)の装置であって、導電性条痕は導電性インクで作られているページの識別装置。
【００４３】
11) 第１の絶縁固体表面上に表面導電性条痕を形成すること、および条痕の導電率を測定して表面の識別を行うこと、から構成されているページの識別方法。
【００４４】
12) 上記11) の方法であって、測定することが更に、パッチの二つを導電性条痕上の二つの位置に結合させた状態で、固体表面上に少なくとも二つの導電性パッチを形成すること、および電子盤上に多数のコネクタ導電性パッチを形成することを含み、固体表面が盤に接触しているとき、二つのコネクタパッチが導電性条痕上の二つのパッチに接触し、電子盤は、コネクタパッチを介して、導電性条痕の導電率測定を行い、固体表面を識別するようにしたページの識別方法。
【００４５】
13)   上記12) の方法であって、多数のコネクタ導電性パッチを形成した後、更に、固体表面を盤にクリップしてコネクタパッチと固体表面上のパッチとの間の電気接触を増強することを含むページの識別方法。
【００４６】
14)   上記12) の方法であって、多数のコネクタ導電性パッチを形成することが更に、パッチを耐蝕性導電材料で被覆してパッチの腐食を防止することを含むページの識別方法。
【００４７】
15)   上記11) の方法であって、測定することが更に、絶縁固体表面を二つの対向表面を有する絶縁盤の上に設置すること、多数の厚紙導電性パッチを絶縁固体表面に面する表面とは反対の盤の表面上に、二つの厚紙パッチが導電性条痕上の二つの位置に結合する状態で形成すること、多数のコネクタ導電性パッチを電子盤上に形成することを含み、絶縁盤が電子盤に接触しているとき、二つのコネクタパッチが導電性条痕に結合している二つの厚紙パッチに接触し、電子盤は、コネクタパッチを介して、導電性条痕の導電率測定を行い、固体表面を識別するようにしたページの識別方法。
【００４８】
16)   上記15) の方法であって、多数の厚紙導電性パッチを形成することが更に、各々が一つの厚紙パッチを表面導電性条痕に結合する二つの縁導電性条痕を形成することを含むページの識別方法。
【００４９】
17)   上記15) の方法であって、更に、裏面を有する第２の絶縁固体表面上に表面導電性条痕を形成すること、第２の絶縁固体表面を第１の絶縁固体表面に密接するように設置すること、二つの厚紙パッチを第２の絶縁表面の表面導電性条痕上の二つの位置に結合することを含み、絶縁盤が電子盤と接触しているとき、コネクタパッチは厚紙パッチと接触し、電子盤は、コネクタパッチを介して、導電性条痕の導電率測定を行い、固体表面を識別するようにしたページの識別方法。
【００５０】
18)   上記17) の方法であって、更に、上記17の方法を繰り返すが、繰り返しごとに、絶縁固体表面を指示する数を１だけ増加させるページの識別方法。
【００５１】
19)   上記18) の方法であって、更に、絶縁固体表面をすべての表面導電性条痕に近接している縁に沿って盤に接着することを含むページの識別方法。
【００５２】
20)   上記15) の方法であって、導電性条痕は導電性インクで作られているページの識別方法。
【００５３】
【発明の効果】
以上、記述した本発明のページの識別装置は、次に記すような新規な効果を奏するものである。即ち、本発明装置は、紙の各シートをそれらのスタックから電子的に識別するためにどんな走査機構も必要ではなく、ユーザが各シートを識別する如何なる付加的処理を行なうことを覚える必要性を排除することが可能になった。一方、識別処理は非常に廉価で自動的に行うことが可能になった。
【００５４】
ユーザがスタック上の紙片に書き込み、その紙片への書込を終了してから、それをスタックから引き裂くことにより、そのシートの導電性条痕が破壊されるので、その導電率の変化により取り除かれたシートの識別を自動的に行うことが可能になった。
【００５５】
したがって、紙の各シートは自動的に識別され、この識別処理はユーザに対し平易なものであり、ユーザが紙片を取り除くと、その対象紙シートを自動的に登録することが可能になった。
【００５６】
以上の開示内容から、異なる材料シートを自動的に識別できることも容易に理解される筈である。ユーザが材料シートの使用を終わり、それをスタックから取り外すと、材料シートの現物が自動的に認識される。事実、好ましい実施例では、シートが電子盤上に載置しているかぎり、シートの現物が自動的に認識される。本発明は種々の異なる分野で使用することができる。たとえば、異なる材料シートは、形態が自動車の修理票あるいは小切手帳からの小切手であるように、異なる用途に対して異なる形態をしている。
【図面の簡単な説明】
【図１】紙シート上に導電性条痕を有する本発明の好ましい実施例を示す平面図である。
【図２】厚紙上に紙のスタックを有する本発明の好ましい実施例を示す斜視図である。
【図３】本発明において多数のパッチを多数の導電性条痕に接続する状態を示す接続配列図である。
【図４】本発明において表面導電性条痕と端縁導電性条痕との間に良好な電気接続を確保する一つの方法を示す説明図である。
【図５】本発明における２枚の紙シートに対する別の符号化接続を示す接続配列図である。
【図６】本発明のクリップボードを示す斜視図である。
【図７】多数のパッチを接続する導電性条痕を有する本発明の別の好ましい実施例を示す平面図である。
【符号の説明】
102   表面導電性条痕
105   紙のシート
106   縁
108   端
110   端
112   短い導電性条痕
114   短い導電性条痕
202   紙
204   紙
206   厚紙
208   ラップアラウンド
210   下面
212   パッチ
214   端縁条痕
216   パッチ
300   パッチ
302   パッチ
304   条痕
306   条痕
400   電子盤
402   コネクタ導電性パッチ
404   コネクタ導電性パッチ
406   クリップ
408   ノッチ
410   ノッチ
【図１】
0003788631.tif 000002
【図２】
0003788631.tif 000003
【図３】
0003788631.tif 000004
【図４】
0003788631.tif 000005
【図５】
0003788631.tif 000006
【図６】
0003788631.tif 000007
【図７】
0003788631.tif 000008